(57)【要約】  【課題】  キ−やキ−ボ−ドなどを使用せずにセキュリティを低下させることなく、指紋デ−タを容易に登録し、また、消去することができる施解錠用の指紋認証装置を提案する。  【解決手段】  カバ−１６を開くことで電源ＯＮする指紋センサ１８を外側錠部１１に設け、前記指紋センサ１８が検出した指３５の指紋デ−タが記憶部４１に登録されていないときは制御部４０を登録モ−ドに、登録されているときは消去モ−ドに各々切換える切換部３９を有する登録・消去回路３４を備え、登録モ−ドにおいて前記指紋センサ１８が検出した指紋デ−タを記憶部４１に記憶させ、消去モ−ドにおいて前記指紋センサ１８が検出した指紋デ−タを記憶部４１から消去する指紋認証装置となっている。  【選択図】  図３
2005126900.tif 000002
【特許請求の範囲】
【請求項１】
予め登録された指紋デ−タと、指紋センサによって検出された指紋デ−タとを照合し、それら指紋デ−タが所定の関係にあるとき施錠又は解錠する施解錠用の指紋認証装置において、
指紋デ−タの登録・消去手段として、
指紋センサによって検出した指紋デ−タを記憶させて登録する記憶部と、
前記記憶部に指紋デ−タを登録し、または、登録されている指紋デ−タを消去する制御部と、
指紋センサによって新らたに検出された指紋デ−タが前記記憶部に記憶されているかを判定し、この判定結果に基づいて新らたに検出された指紋デ−タの登録モ−ドに、または、新らたに検出された指紋デ−タの消去モ−ドに前記制御部を切換えるモ−ド切換部とを設けたことを特徴とする施解錠用の指紋認証装置。
【請求項２】
請求項１に記載した指紋認証装置において、
前記モ−ド切換部は、前記制御部が登録モ−ドにあるときは、前記記憶部に既に登録されている指紋デ−タが指紋センサによって検出されると、その登録モ−ドの動作を終了させ、前記制御部が消去モ−ドにあるときは、指紋センサによって検出された指紋デ−タが記憶部に記憶されていないことを条件にその消去モ−ドを終了させる構成としたことを特徴とする施解錠用の指紋認証装置。
【請求項３】
請求項１又は２に記載した指紋認証装置において、
前記記憶部に既に登録されている指紋デ−タの指か、未登録の指紋デ−タの指かを知らせるスピ−カ−や光学的な表示器などのガイド手段を設けたことを特徴とする施解錠用の指紋認証装置。
【発明の詳細な説明】
【技術分野】
【０００１】
本発明は、予め登録された指紋デ−タと、指紋センサによって検出された指紋デ−タとを照合し、それら指紋デ−タが所定の関係にあるとき施錠または解錠させる施解錠用の指紋認証装置に関し、詳しくは、指紋デ−タの登録手段に特徴のある指紋認証装置に係る。
【背景技術】
【０００２】
キ−ボ−ドによる暗証番号の入力やキ−レスエントリ−の信号によって施解錠する施解錠装置に代わって、セキュリティ−性を更に向上させるため、指紋認証によって電気錠を施解錠する指紋認証装置が開発されている。
【０００３】
この種の指紋認証装置の一例としては、キ−受け具に挿入したユ−ザ用キ−を反時計方向の数箇所位置に順次回転し、各々の回転位置で各ユ−ザの指紋を指紋センサによって入力して指紋デ−タを登録し、また、キ−受け具に挿入したユ−ザ用キ−を時計方向の数箇所位置に順次回転し、各々の回転位置で各ユ−ザの指紋デ−タを消去する構成の指紋認証装置がある。
（特許文献１参照）
【０００４】
上記した指紋認証装置は、登録したユ−ザがユ−ザ用キ−をキ−受け具に挿入し、自己の登録位置にキ−を回転した後、指紋センサによって手指の指紋を入力する。
そして、指紋センサによって検出された指紋デ−タが登録されている指紋センサと照合され、これら指紋デ−タの一致検出により電気錠の施錠または解錠が行なわれる。
【０００５】
【特許文献１】特開２００３−１３６４６号公報
【発明の開示】
【発明が解決しようとする課題】
【０００６】
上記したように、従来の指紋認証装置は、ユ−ザ用キ−を使用しなければ指紋デ−タを登録し、また消去することができない。
このように、キ−やキ−ボ−ドを使用する指紋デ−タの登録・消去する指紋認証装置は、登録と消去に間違いが生じやすく、その上、登録と消去の操作が複雑となるために好ましくない。
【課題を解決するための手段】
【０００７】
本発明は、キ−やキ−ボ−ドなどを使用せずにセキュリティ−を低下させることなく、指紋デ−タを容易に登録し、また、消去することができる施解錠用の指紋認証装置を提案する。
【０００８】
本発明は、第１の発明として、予め登録された指紋デ−タと、指紋センサによって検出された指紋デ−タとを照合し、それら指紋デ−タが所定の関係にあるとき施錠又は解錠する施解錠用の指紋認証装置において、指紋デ−タの登録・消去手段として、指紋センサによって検出した指紋デ−タを記憶させて登録する記憶部と、前記記憶部に指紋デ−タを登録し、または、登録されている指紋デ−タを消去する制御部と、指紋センサによって新らたに検出された指紋デ−タが前記記憶部に記憶されているかを判定し、この判定結果に基づいて新らたに検出された指紋デ−タの登録モ−ドに、または、新らたに検出された指紋デ−タの消去モ−ドに前記制御部を切換えるモ−ド切換部とを設けたことを特徴とする施解錠用の指紋認証装置を提案する。
【０００９】
第２の発明としては、第１の発明の指紋認証装置において、前記モ−ド切換部は、前記制御部が登録モ−ドにあるときは、前記記憶部に既に登録されている指紋デ−タが指紋センサによって検出されると、その登録モ−ドの動作を終了させ、前記制御部が消去モ−ドにあるときは、指紋センサによって検出された指紋デ−タが記憶部に記憶されていないことを条件にその消去モ−ドを終了させる構成としたことを特徴とする施解錠用の指紋認証装置を提案する。
【００１０】
第３の発明としては、第１又は２の発明の指紋認証装置において、前記記憶部に既に登録されている指紋デ−タの指か、未登録の指紋デ−タの指かを知らせるスピ−カ−や光学的な表示器などのガイド手段を設けたことを特徴とする施解錠用の指紋認証装置を提案する。
【発明の効果】
【００１１】
第１の発明の指紋認証装置に備えた指紋デ−タの登録手段が、新らたに登録しようとする指紋デ−タが記憶部に記憶されているかが判定され、記憶されていなければ制御部がモ−ド切換部によって切換えられ登録モ−ドとなる。
【００１２】
また、指紋センサにより検出された指紋デ−タが記憶部に記憶されておれば、制御部がモ−ド切換部によって切換えられ消去モ−ドとなる。
したがって、キ−やキ−ボ−ドなどを使用することなく、指紋センサに指を押し当てるだけで指紋デ−タの登録と消去とを行なうことができる。
【００１３】
第２の発明の指紋認証装置に備えた指紋デ−タ登録手段は、登録モ−ドにあるとき、記憶部に既に登録されている指紋デ−タを指紋センサより新らたに入力させると、その登録モ−ドの動作を終了させる。
【００１４】
また、消去モ−ドにあるとき、消去しようとする指紋デ−タが記憶部に記憶されていないかぎり、指紋センサに指を押し当てることによってその消去モ−ドの動作が終了する。
したがって、指紋デ−タの登録または消去が間違って行なわれた場合にも、その再登録操作または再消去操作が簡単となると共に即応性がよくなる。
【００１５】
第３の発明の指紋認証装置に備えた指紋デ−タ登録手段は記憶部に既に登録されている指紋デ−タの指か、未登録の指紋デ−タの指かがガイド手段によって知ることができるので、指紋デ−タの登録と消去をガイドにしたがって行なうことができる。
このことから、登録と消去の間違いがなく、また、その登録と消去の操作が簡単となる。
【発明を実施するための最良の形態】
【００１６】
次に、本発明の実施形態について図面に沿って説明する。
図１（Ａ）は、本発明の指紋認証装置によって施解錠動作させる施解錠装置を備えた建物用ドアの外面側一部を示す斜視図、図１（Ｂ）は、そのドアの内面側の一部を示す斜視図である。
【００１７】
図１（Ａ）に示すように、ドア１０の外面には、施解錠装置の外側錠部１１と、外側ハンドル１２と、補助シリンダ錠部１３とを設け、また、このドア１０には埋設するように設けた施解錠装置のコントロ−ラ１４が配設してある。
【００１８】
外側錠部１１は、図２に拡大して示したようにその正面にはシリンダ錠のキ−挿入部１５と指紋センサのカバ−１６とが設けてある。
カバ−１６は、支軸部１７を中心にして図２（Ａ）に示す閉位置と図２（Ｂ）、（Ｃ）に示す開位置とに旋回でき、各々の位置で一定の節度を与えるようにクリック機構が設けてある。
なお、このカバ−１６の中程部分はクリアパネルとなっている。
【００１９】
また、外側錠部１１には上記したカバ−１６によって被蓋するようにした指紋センサ１８、開閉検出スイッチの応動部１９、ＬＥＤなどの発光表示部２０が設けてある。
【００２０】
開閉スイッチ２１（図３参照）は指紋センサ１８の電源スイッチとなっており、カバ−１６を閉じると、その突部２２が上記した応動部１９を押動してスイッチＯＦＦとし、カバ−１６を開くと、その突部２２が上記の応動部１９から離れることから、スイッチＯＮとなる。
【００２１】
発光表示部２０は、赤と緑のＬＥＤとレンズとから構成してあり、通常時は、施錠されていれば緑色光、解錠されていれば赤色光の点灯になり、登録モ−ド時は赤と緑のＬＥＤを点灯させてオレンジの点灯光となる。
この発光表示部２０は、後述する操作スイッチ２６のＯＮでオレンジ色の点灯光となり、指紋センサ１８に指を置き、未登録の指紋が検出されると赤色光のＬＥＤが点灯し、登録されている指紋が検出されると緑色光のＬＥＤが点灯する。
【００２２】
また、外側ハンドル１２はラッチ機構を連動する構成となっており、例えば、引き開きドア１０の場合は、外側ハンドル１２を引き操作すると、ラッチボルト２３が後退してドアを開くことができる。
なお、外側ハンドル１２の引き操作を解放すると、ラッチ機構が自動的に復動する。
【００２３】
上記した施解錠装置は、電気錠となっており、後述するサムタ−ンの回動によるデッドボルト２４の出退を検出してその施解錠信号を電動駆動回路３８からコントロ−ラ１４に入力する。
そして、コントロ−ラ１４は上記の施解錠信号の入力に応動して補助シリンダ錠部１３を動作させ、そのデッドボルト２５を出退させて施解錠させる。
【００２４】
また、指紋センサ１８に指を押し当て指紋認証装置を動作させて施解錠させる場合にも、補助シリンダ錠部１３が上記同様にコントロ−ラ１４によって制御されて施解錠する。
【００２５】
さらに、上記したコントロ−ラ１４には、指紋デ−タの登録をするための操作スイッチ２６が備えてあり、この操作スイッチ２６がドア１０の自由端側に設けた小孔２７から差し込んだピン等の工具によってスイッチ動作（ＯＮ、ＯＦＦ）させることができるようになっている。
【００２６】
なお、上記の小孔２７には、小ねじ２８をねじ込み、小孔２７を閉塞するようになっているが、操作スイッチ２６をスイッチ動作させるときは小ねじ２８を取り外し、指紋デ−タの登録後に小ねじ２８をねじ込み小孔２７を閉塞させる。
【００２７】
一方、図１（Ｂ）に示すように、ドア１０の内面には、内側錠部２９、内側ハンドル３０、補助サムタ−ン部３１が設けてある。
内側錠部２９は、施解錠装置をモ−タ駆動する電動駆動部３２を備えている。
【００２８】
なお、この電動駆動部３２には、外側錠部１１のシリンダ錠をキ−操作したとき、または、サムタ−ンノブ３３を操作したときに電動駆動系を切り離すクラッチ機構が備えてある。
【００２９】
内側ハンドル３０は、外側ハンドル１２と同様にラッチ機構を連動し、この内側ハンドル３０を押し操作すると、ラッチボルト２３が後退してドア１０を開くことができる。
なお、内側ハンドル３０の押し操作を解放すれば、ラッチ機構が自動的に復動する。
【００３０】
補助サムタ−ン部３１は、内側錠部２９に設けた電動駆動部３２と同様の電動駆動部とクラッチ機構とを備え、コントロ−ラ１４によって制御される電動駆動の動作により施解錠するものである。
【００３１】
図３は図２（Ｃ）上のＡ−Ａに沿って切断した外側錠部１１の断面図と、コントロ−ラ１４に備える指紋デ−タの登録・消去回路３４を示すブロック図である。
【００３２】
この図面から分かるように、カバ−１６を開くことによって指紋センサ１８のセンサ面１８ａに人手の指３５を押し当てることができる。
また、カバ−１６を開くと、その突部２２が応動部１９から離れることから、開閉スイッチ２１が動作し、指紋センサ１８の電源をＯＮさせる。
【００３３】
したがって、指３５をセンサ面１８ａに押し当てると、指紋センサ１８によって検出された指紋デ−タが登録・消去回路３４に送られ、その指紋デ−タの登録または消去が行なわれる。
【００３４】
また、シリンダ錠３６をキ−３７によって施錠し、また、解錠すると、その施解錠信号が錠装置回路３８から登録・消去回路３４に送られる。
すなわち、登録・消去回路３４を動作させて指紋デ−タを登録し、また、消去する場合、ドア１０を開いて操作スイッチ２６をＯＮ、ＯＦＦさせるために、施解錠装置を解錠させ、その解錠信号を登録・消去回路３４に送る。
【００３５】
登録・消去回路３４は、モ−ド切換部３９、制御部４０、記憶部４１、判定部４２などの各回路を備えている。
なお、記憶部４１と判定部４２の各回路は指紋センサ１８に内蔵されている。
また、これら記憶部４１と判定部４２はコントロ−ラ１４に備えることもできる。
モ−ド切換部３９は指紋センサ１８が検出する指紋デ−タに応動して制御部４０を「登録モ−ド」または「消去モ−ド」に切換える。
【００３６】
制御部４０は、指紋センサ１８から送られる指紋デ−タにしたがって、指紋デ−タを記憶部４１に記憶させ、或いは、記憶部４１に記憶されている指紋デ−タを消去する命令を出したり、判定部４２の未登録の指紋デ−タか登録済みの指紋デ−タかの判断、不適当な指紋デ−タの判断に応じた制御などを行なうものである。
【００３７】
また、上記した登録・消去回路３４は、指紋デ−タの登録と消去との操作を音声によってガイドするスピ−カ−４４を動作させるようになっている。
すなわち、このスピ−カ−４４は制御部４０によって制御され、指紋デ−タを登録するための操作と、指紋デ−タを消去するための操作とを音声によって使用者に知らせる。
【００３８】
上記した登録・消去回路３４は操作スイッチ２６をＯＮさせることで指紋デ−タの登録と消去が可能となるように動作する。
この登録・消去回路３４は操作スイッチ２６のＯＮ信号に応動し、その後の操作スイッチ２６のＯＦＦにかかわらず所定時間の間登録と消去を可能にする動作となる。
なお、指紋センサ１８や登録・消去回路３４の電源４３は、電池電源または家庭用電源を使用することができる。
【００３９】
次に、指紋デ−タの登録と消去について図４、図５に示すフロ−チャ−トを参照しながら説明する。
先ず、指紋デ−タを登録したり、消去する場合には、施解錠装置を解錠してドア１０を開けた状態とし、小孔２７から小ねじを取り外す。
続いて、外側錠部１１のカバ−１６を開け、指紋センサ１８の電源をＯＮにする。
【００４０】
そして、既に述べたように、工具を小孔２７に差し入れ、この工具によって操作スイッチ２６をＯＮさせる。
操作スイッチ２６のＯＮにより、登録・消去回路３４が指紋デ−タの登録と消去とを可能とする動作状態となる。
【００４１】
上記の準備状態で、指３５をセンサ面１８ａに置くと、指紋センサ１８によって検出された指紋デ−タが登録・消去回路３４に送られる。
そして、登録・消去回路３４の判定部４２は指紋センサ１８で検出された指紋デ−タが既に登録（記憶部４１の記憶）されているか否かを判断する。（ステップＳＴ４０１、ＳＴ４０２）
【００４２】
記憶部４１に記憶された指紋デ−タがなく、センサ面１８ａに置いた指３５の指紋デ−タの登録が第１番目の登録（初期登録）となるときは、図５に示す初期とステップＳＴ５０１〜ＳＴ５０６に進む。
【００４３】
初期登録では、制御部４０によって駆動されたスピ−カ−４４が「登録モ−ドです」のガイド音声に続いて「登録したい指を３回置いて下さい」のガイド音声が発生し、登録者に対し操作の仕方を音声でガイドする。（ステップＳＴ５０１、ＳＴ５０２）
【００４４】
続いて、登録者がセンサ面１８ａに指３５を３回置いたか否かが判断され、３回置いたことを確認して指紋デ−タを記憶部４１に記憶させる。（ステップＳＴ５０３、ＳＴ５０４、ＳＴ５０５）
このようにして第１番目の登録者の指紋デ−タを記憶部４１に記憶して初期登録すると、スピ−カ−４４から「登録しました」のガイド音声が発音する。（ステップＳＴ５０６）
その後、追加登録ステップＳＴ４０５に進む。
【００４５】
操作スイッチ２６をＯＮさせたとき、指紋デ−タが既に登録されている場合、初期登録ステップには進まなく、「登録モ−ドです」のガイド音声がない。
したがって、登録者はセンサ面１８ａに指３５を押し当てる。（ステップＳＴ４０３）
【００４６】
このとき、判定部４２は指紋センサ１８によって検出した指紋デ−タが登録されている指紋デ−タであるか否かを判断する。（ステップＳＴ４０４）
すなわち、このステップＳＴ４０４では、既に登録されている指３５の指紋デ−タか否かを判断し、登録されている指紋デ−タでないときは、図５に示す全消去ステップＳＴ５０７〜ＳＴ５１３に進む。
【００４７】
具体的には、第１番目の登録者の指紋デ−タが確認されないかぎり、次のステップの追加登録ステップＳＴ４０５には進まない。
このことから、初期登録として第１番目の登録者の指紋デ−タの登録が終了した後に再度操作スイッチ２６がＯＮされて指紋センサ１８が第２番目の登録者の指紋デ−タを検出すると、ステップＳＴ４０４によって登録されていない指紋デ−タと判断され、全消去ステップに進む。
【００４８】
全消去ステップでは、「全消去モ−ドです」に続いて「登録している指を３回置いて下さい」のガイド音声がスピ−カ−４２から発生し、操作の仕方がガイドされる。（ステップＳＴ５０７、ＳＴ５０８）
ここで、第２番目の登録者に代わって第１番目の登録者の指３５をセンサ面１８ａに３回置くと、登録されている指紋デ−タが全消去される。（ステップＳＴ５０９〜ＳＴ５１３）
【００４９】
ステップＳＴ５１２で全消去された後は、初期登録ステップに進み、再度第１番目の登録者の指紋デ−タを登録するモ−ドとなる。
また、全消去のステップで第２番目の登録者がガイド音声にしたがわずに、センサ面１８ａに指を３回置いたときは、直ちに追加登録ステップＳＴ４０５に移り、追加登録または消去が可能になるようになっている。
【００５０】
なお、施解錠装置の施工者が試験のために初期登録し、その初期登録の消去を忘れて帰ってしまうことがある。
このときは、施工者を呼び出さないかぎりステップＳＴ４０４によって常に全消去モ−ドに移ってしまい初期登録された指紋デ−タを消去することも、追加登録することもできないことになるから、全消去モ−ドでは、第２番目となる登録者が、例えば、登録されていない指を５回センサ面１８ａに置くことによって全消去させるようにすることもできる。
このように構成する場合は、誰でも全消去することになるので、ガイド音声のステップＳＴ５０８を取り除くことができる。
【００５１】
ステップＳＴ４０３において、第１番目の登録者の指３５がセンサ面１８ａに置かれ、その指紋デ−タがステップＳＴ４０４で確認されると、第２番目以降の登録者の追加登録または消去モ−ドとなる。
この場合には、「追加登録モ−ドか消去モ−ドになります」のガイド音声がスピ−カ−４４から発音される。（ステップＳＴ４０５）
【００５２】
ここで第２番目の登録者の指をセンサ面１８ａに置くと、指紋センサ１８によって検出された指紋デ−タが登録されているか、登録されていないかが判断され、登録されていない指紋デ−タであるときは登録モ−ド、登録されている指紋デ−タであるときは消去モ−ドとなる。（ステップＳＴ４０６、ＳＴ４０７）
【００５３】
このときの登録モ−ドでは、第２番目の登録者が登録することになり、ステップＳＴ４０８〜ＳＴ４１４のステップに進む。
そして、この登録モ−ドでは、「登録モ−ドです」に続いて「登録したい指を３回置いて下さい」のガイド音声がスピ−カ−４４から発声される。
【００５４】
第２番目の登録者の指が３回センサ面１８ａに置かれたことが確認されると、その登録者の指紋デ−タが記憶部４１に記憶され、検出した指紋デ−タとして登録される。
そして、このように登録された後に「登録しました」のガイド音声がスピ−カ−４４から発音され、その後、ガイド音声ステップＳＴ４０５にリタ−ンする。
【００５５】
なお、上記の登録モ−ドのステップＳＴ４１１では、登録されている指紋であるか否かが判断されるが、ここで登録されていると判断された場合は、誤動作のときであるから、直ちにガイド音声のステップＳＴ４０５にリタ−ンし、「追加登録のモ−ドか消去モ−ドになります」のガイド音声が発音される。
したがって、第２番目の登録者は再度登録操作して登録を行なう。
【００５６】
３番目以降の登録者の登録を続けて行なう場合は、各々の登録者の指をセンサ面１８ａに置くことにより、上記同様にして指紋デ−タの登録を行なうことができる。
【００５７】
登録されている指紋デ−タを消去する場合には、登録者がセンサ面１８ａに登録されている指を置くことにより、ステップＳＴ４０５〜ＳＴ４０７を進むことから、「追加登録のモ−ドか消去モ−ドになります」のガイド音声がスピ−カ−４４から発声される。
【００５８】
そして、ステップＳＴ４０７において登録されている指紋デ−タと判断されるから、消去モ−ドとなるステップＳＴ４１５〜ＳＴ４２１に移る。
この消去モ−ドでは「消去モ−ドです」に続いて「消去したい指を３回置いて下さい」のガイド音声がスピ−カ−４４から発声される。
【００５９】
そして、登録者がセンサ面１８ａに３回指を置いたことが確認されると、その登録者の指紋デ−タが記憶部４１から消去される。
このように消去したときは、「消去しました」のガイド音声がスピ−カ−４４から発声された後、ガイド音声のステップＳＴ４０５にリタ−ンする。
【００６０】
なお、消去モ−ドのステップＳＴ４１８において、登録されている指紋デ−タではないと判断されるときは、誤動作となったときであるから指紋デ−タを消去しないでガイド音声ステップＳＴ４０５にリタ−ンする。
この場合、再度消去操作を行なう。
【００６１】
上記のように指紋デ−タを登録または消去した後、小ねじ２８を小孔２７にねじ込み、また、カバ−１６を閉じて指紋センサ１８の電源をＯＦＦさせると、指紋デ−タの登録と消去が終了する。
【００６２】
なお、本実施形態では、指紋デ−タの登録または消去に当ってセンサ面１８ａに指を３回置くようにしている。
これは、指紋センサ１８が検出した３回の指紋デ−タのうち最も精度の高い指紋デ−タを登録するためであり、また、消去する場合は３回目に検出された指紋デ−タを消去するように構成したことによる。
したがって、センサ面１８ａに指を３回置いて登録または消去することが必ずしも必要となるわけではなく、センサ面１８ａに置く指の回数は任意に定めることができる。
【００６３】
また、本実施形態では、カバ−１６を開けたまま、例えば、３０秒間何も操作しなかった場合やセンサ面１８ａに一度指を押し当てた後何も操作しないようなときにはスタ−トに戻る構成となっている。
【００６４】
次に、上記のように指紋デ−タを登録または消去する指紋確認装置を備えた外側錠部１１の動作について図６に示すフロ−チャ−トを参照して説明する。
先ず、ドア１０が閉められた状態でカバ−１６を開いて指紋センサ１８の電源をＯＮさせる。（ステップＳＴ６０１、ＳＴ６０２）
【００６５】
続いて、センサ面１８ａに指３５を押し当てると、指紋センサ１８によって検出された指紋デ−タが記憶部４１に登録されている指紋デ−タと照合され、これら検出指紋デ−タと登録指紋デ−タが一致するか否かが判定部４２で判断される。（ステップＳＴ６０３、ＳＴ６０４）
【００６６】
ここで、指紋デ−タが一致しなければ施解錠動作に移らない。
指紋デ−タが一致する場合は、施錠されているか解錠されているかを判断するステップＳＴ６０６に進む。
ここで解錠されておれば施錠動作となり、施錠されておれば解錠動作となる。（ステップＳＴ６０６、ＳＴ６０９）
【００６７】
解錠から施錠動作した後、カバ−１６を閉めれば、指紋センサ１８の電源がＯＦＦとなりスタ−トにリタ−ンするが、カバ−１６を閉めないでセンサ面１８ａに再度指３５を置くと、検出指紋デ−タと登録指紋デ−タの照合ステップＳＴ６０４に戻り、上記の動作を繰り返す。（ステップＳＴ６０５〜ＳＴ６０８、ＳＴ６１２）
施錠から解錠動作した場合も同様の動作となる。（ステップＳＴ６０５、ＳＴ６０９〜ＳＴ６１１、ＳＴ６１３）
【００６８】
以上、本発明の一実施形態について説明したが、「登録モ−ドです」、「消去モ−ドです」などのガイド音声は、スピ−カ−４４による音声に換えて、光学的に文字や図柄などを表示する表示器を備えてもよく、また、音声と文字、図柄とを共に表示させることもできる。
また、上記説明では、第１番目の登録者、第２番目の登録者のように説明したが、一人の登録者が登録指を変え、第１番目の登録指、第２番目の登録指のようにして同様に登録し、また、消去することができる。
【産業上の利用可能性】
【００６９】
本発明の指紋認証装置は、建物ドアの施解錠用の指紋認証装置に限らず、自動車などの施解錠用の指紋認証装置としても利用することができる。
【図面の簡単な説明】
【００７０】
【図１】図１（Ａ）は本発明の指紋認証装置を備えた施解錠装置を設けた建物用ドアの外面一部を示す斜視図で、図１（Ｂ）は同建物用ドアの内面一部を示す斜視図である。
【図２】図２（Ａ）は上記した施解錠装置の外側錠部を示す正面図、図２（Ｂ）、（Ｃ）はカバ−を開いた状態を示すその外側錠部の側面図と正面図である。
【図３】図２（Ｃ）上のＡ−Ａ線に沿って切断した上記外側錠部の断面図と指紋デ−タの登録・消去回路のブロック図とを示す図である。
【図４】上記した登録・消去回路の登録と消去との動作を示すフロ−チャ−トである。
【図５】図４同様のフロ−チャ−トである。
【図６】上記した外側錠部の動作を示すフロ−チャ−トである。
【符号の説明】
【００７１】
１０  ドア
１１  外側錠部
１４  コントロ−ラ
１５  キ−挿入部
１６  カバ−
１８  指紋センサ
１８ａ  センサ面
１９  応動部
２１  開閉スイッチ
２２  突部
２６  操作スイッチ
２７  小孔
２８  小ねじ
３４  登録・消去回路
３８  錠装置回路
３９  モ−ド切換部
４０  制御部
４１  記憶部
４２  判定部
４４  スピ−カ−
【図１】
2005126900.tif 000003
【図２】
2005126900.tif 000004
【図３】
2005126900.tif 000005
【図４】
2005126900.tif 000006
【図５】
2005126900.tif 000007
【図６】
2005126900.tif 000008